(57)【要約】      （修正有）【課題】使用者がボールをキャッチする時、湾曲が容易で、吸振すると共に、ボールの衝撃力を緩和して、ボールがグローブから飛び出したり、手部を損傷したりするのを防止する野球グローブの連動パッドを提供する。【解決手段】吸湿排汗効果を有する原料からなる布体と、対応して重畳する吸振効果を有する材料からなる吸振パッド、及び、曲弧度及び複数の通気孔洞を有する三つ指型プラスチック板、或いは、硬度の相似する材料がその中を被覆し、グローブの手指部内に挿入し、また、曲弧度及び複数の通気孔洞を有する三つ指型プラスチック板、或いは、硬度が相似する材料は、手指内の裏地に直接縫製できる。【選択図】図１
0003109797.tif 000002
【実用新案登録請求の範囲】
【請求項１】
野球グローブの連動パッドであって、グローブの手指部内に外挿入、或いは、内縫製し、ボールをキャッチする時、前記グローブの湾折が容易で、同時に、吸振すると共に、ボールの衝撃を緩和して、手部の損傷を防止し、その特徴は、
前記連動パッドは、吸湿排汗効果を有する原料からなる布体と、対応して重畳する吸振効果を有する材料からなる吸振パッド、及び、曲弧度及び複数の通気孔洞を有する三つ指型プラスチック板が中を被覆し、前記グローブの手指部内に挿入し、また、曲弧度及び複数の通気孔洞を有する三つ指型プラスチック板は、手指内の裏地に直接縫製できることを特徴とするグローブの連動パッド
【請求項２】
前記手指内の裏地は、吸湿排汗原料からなり、前記三つ指型プラスチック板は、硬質のプラスチック、或いは、硬度の相似する材料から生成されることを特徴とする請求項１に記載のグローブの連動パッド。
【請求項３】
前記の外挿入の連動パッドは、前記グローブの人差し指、中指、薬指部位か、或いは、中指、薬指、及び、小指部位に装設されることを特徴とする請求項１に記載のグローブの連動パッド。
【考案の詳細な説明】
【技術分野】
【０００１】
本考案は野球のグローブの連動パッドに関するものであって、特に、使用者の野球グローブがボールをキャッチする時、グローブの湾曲が容易で、吸振し、衝撃力を減少させて、ボールが使用者の手部を怪我させることがない上、実用価値性を向上させ、経済効果も兼ね備えるグローブの連動パッドに関するものである。
【背景技術】
【０００２】
野球は、全世界で共通して人気のあるスポーツであり、野球に相関する道具も大きな市場がある。
【０００３】
その中でも、グローブは、欠かすことができない道具で、単価も高いので、業者が競って開発する道具であり、一般に見られるグローブは、多くが、ビニール、皮革等の材質で、指状のグローブに生成し、且つ、グローブ内は、裏地を縫製するか、或いは、裏地の中にその他の、スポンジ、フェルトなどを縫い付けている。
【０００４】
上述のように、一般のグローブは、ボールをキャッチする基本功能は具備しているが、以下のような欠点がある。
（１）一般のグローブは、裏地があるが、裏地の多くは薄く、使用者がボールをキャッチする時、衝撃力を抵制することができず、使用者の手部を怪我させ、且つ、裏地は、吸汗性がない材料で製造させるので、手部の汗で、ボールのキャッチに支障をきたす。
（２）裏地にスポンジ、フェルトなどを縫い付けても、吸振効果は不足で、球速の衝撃力を緩和させることができず、グローブから球が弾き出される。
（３）グローブはボールのキャッチ時に、五本の指で、同時に施力しないと、うまくキャッチできないので、長時間の試合時、使用者の指は、長時間の施力の状態下、疲労により、手部が損傷する恐れがある。
（４）グローブは、単価が高く、グローブ内のパッドも吸振効果が悪いので、使用者は更なる保護が必要な場合、更に高単価の職業用グローブを使用しなければいけないので、支出が増加する。
【特許文献１】特開2003-070955
【考案の開示】
【考案が解決しようとする課題】
【０００５】
本考案は、外挿入、或いは、内縫製した連動パッドを、グローブの手指部内に装設することにより、使用者がボールをキャッチする時、湾曲が容易で、吸振すると共に、ボールの衝撃力を緩和して、ボールがグローブから飛び出したり、手部を損傷したりするのを防止することを目的とする。
【０００６】
本考案は、外挿入の連動パッドにより、一般の野球グローブ内に応用することが出来、プロ野球のグローブと同じような安全保護が享受でき、実用的で経済的効果を達成することをもう一つの目的とする。
【課題を解決するための手段】
【０００７】
本考案は、吸湿排汗効果を有する原料からなる布体と、対応して重畳する吸振効果を有する材料からなる吸振パッド、及び、曲弧度及び複数の通気孔洞を有する三つ指型プラスチック板、或いは、硬度の相似する材料がその中を被覆し、グローブの手指部内に挿入し、また、曲弧度及び複数の通気孔洞を有する三つ指型プラスチック板、或いは、硬度が相似する材料は、手指内の裏地に直接縫製できる。
【考案の効果】
【０００８】
本考案のグローブにより、手部の蒸れや、損傷を防止し、また、プロ野球のグローブと同じような安全保護が享受でき、実用的で経済的効果を達成する。
【考案を実施するための最良の形態】
【０００９】
まず、図１及び図２は、本考案の正視図と後視図で、本考案は、野球のグローブの連動パットに応用し、グローブの手指内に挿入し、ボールをキャッチする時に、湾曲が容易で、吸振し、衝撃力を減少させて、ボールが使用者の手部を怪我させることがない。
【００１０】
連動パッド１は、吸湿排汗機能を有する原料からなる布体１１、対応して重畳される吸振機能を有する原料からなる吸振パッド１２、及び、曲弧度及び複数の通気孔洞を有し、グローブの手指内に挿入される三つ指のプラスチック板１３、からなり、三つ指のプラスチック板１３は、硬質のプラスチック、或いは、硬度が相似する材料からなり、三つ指のプラスチック板１３表面上は、複数の通気孔洞１３１を有して、連動パッド１を通気させ、且つ連動パッド１全体の重量を減少させて、吸湿排汗機能を有する原料からなる布体１１は、連動パッド１外表を覆い、連動パッド１をグローブ２内に装入する時、使用者の手が、グローブ２内で蒸れて発汗し、ボールのミスキャッチが防止できる。
【００１１】
上述のように、外挿入連動パッド１は、一般の野球グローブ２内に応用し、図３のように、グローブ２の人差し指２１、中指２２、及び、薬指２３部位に装設するか、図４のように、中指２２、薬指２３、及び、小指２４部位に装設する。使用者が野球をする時、三つ指のプラスチック板１３の連動関係により、使用者がボールをキャッチする時、三つ指のプラスチック板１３の内の一つの指（例えば、人差し指２１）に施力され、その他の二つの指（例えば、中指２２と薬指２３）を牽動し、使用者が、最小の力で、容易に、グローブを湾曲させ、同時に、吸振すると共に、ボールの衝撃力を緩和して、ボールが飛び出すのを防止する。また、吸振パッド１２により、使用者の手部の安全も確保される。
【００１２】
図５及び図６を参照すると、本考案は、グローブの連動パッドに応用でき、グローブ２の手指部内に縫製することができ、即ち、連動パッド１の曲弧度及び複数の通気孔洞を有する三つ指のプラスチック板１３は、直接、手指部内の裏地（図示しない）に縫製し、三つ指のプラスチック板１３は、野球グローブ２の野球グローブ２の人差し指２１、中指２２、及び、薬指２３部位に縫製され、手指部内の裏地は吸湿排汗の原料で製造され、且つ、三つ指のプラスチック板１３上には複数の通気孔洞１３１を有するので、使用者の手は、グローブ２内で蒸れにくく、キャッチミスが防止できる。三つ指のプラスチック板１３の連動関係により、使用者がボールをキャッチする時、三つ指のプラスチック板１３の中の一つの指（例えば、人差し指２１）に施力され、その他の二つの指（例えば、中指２２と薬指２３）を牽動し、使用者が、最小の力で、容易に、グローブを湾曲させ、同時に、吸振すると共に、ボールの衝撃力を緩和して、ボールが飛び出すのを防止する。また、吸振パッド１２により、使用者の手部の安全も確保される。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。    
【図面の簡単な説明】
【００１４】
【図１】本考案の正視立体図である。
【図２】本考案の後視立体図である。
【図３】本考案の実施例を示す図である。
【図４】本考案のもう一つの実施例を示す図である。
【図５】本考案の三つ指のプラスチック板の立体図である。
【図６】第五図の実施例図である。
【符号の説明】
【００１５】
１…連動パッド
１１…布体
１２…吸振パッド
１３…三つ指のプラスチック板
１３１…通気孔洞
２…グローブ
２１…人差し指
２２…中指
２３…薬指
２４…小指
【図１】
0003109797.tif 000003
【図２】
0003109797.tif 000004
【図３】
0003109797.tif 000005
【図４】
0003109797.tif 000006
【図５】
0003109797.tif 000007
【図６】
0003109797.tif 000008